(57)【特許請求の範囲】
【請求項１】
利用者を支持するための本体と、該本体に設置された複数のマッサージメカニズムと、該マッサージメカニズムをシールするための手段とを備え、前記マッサージメカニズムは、ハウジングと、該ハウジング内に保持されたモータと、該モータの出力シャフトに固定された偏心おもりと、これらモータ、偏心おもり及びハウジングの結合体を前記本体内に懸架すると共に、前記ハウジングを前記シール手段に接触するように弾力で押しやるように構成された懸架装置とを備え、該懸架装置は、前記ハウジングに固定されたハウジング固定端と、前記本体に固定された本体固定端と、これら固定端間に接続された接続部とを含み、これにより、前記モータがターンオンされたとき、前記モータが偏心おもりを回転させて振動を発生し、この振動が、前記ハウジング及びシール手段を経て、便座に座っている利用者に伝達されるようにし、前記本体は、各マッサージメカニズムに対応する減少厚みの部分を有し、これらの部分は、シール手段として作用して、前記マッサージメカニズムのハウジングと接触し、そのハウジングから利用者へ振動を伝達する、トイレ便座。
【請求項２】
利用者を支持するための本体と、該本体に設置された複数のマッサージメカニズムと、該マッサージメカニズムをシールするための手段とを備え、前記マッサージメカニズムは、ハウジングと、該ハウジング内に保持されたモータと、該モータの出力シャフトに固定された偏心おもりと、これらモータ、偏心おもり及びハウジングの結合体を前記本体内に懸架すると共に、前記ハウジングを前記シール手段に接触するように弾力で押しやるように構成された懸架装置とを備え、該懸架装置は、前記ハウジングに固定されたハウジング固定端と、前記本体に固定された本体固定端と、これら固定端間に接続された接続部とを含み、これにより、前記モータがターンオンされたとき、前記モータが偏心おもりを回転させて振動を発生し、この振動が、前記ハウジング及びシール手段を経て、便座に座っている利用者に伝達されるようにし、前記本体は、各マッサージメカニズムに対応する貫通穴を有し、前記シール手段は、前記本体の貫通穴に固定されてその貫通穴をシールするための複数の防水カバーを含み、この防水カバーは、前記マッサージメカニズムのハウジングに接触してそのハウジングから利用者へ振動を伝達し、前記本体は、各貫通穴の周りに環状グルーブを有し、前記防水カバーは、エラストマ材料で作られ、各防水カバーの周囲は、フランジを形成し、そしてフランジは、前記本体の対応する環状グルーブにシール係合される、トイレ便座。
【請求項３】
前記防水カバーは、前記フランジに隣接する複数のフックを有し、これらのフックは、前記本体の対応する貫通穴の周囲を掴むように構成され、前記防水カバーのフランジが前記本体の環状グルーブから逃れるのを防止する、請求項２に記載の便座。
【請求項４】
前記ハウジングは、上部及び下部より成り、前記モータは、これら上部と下部との間にサンドイッチされる、請求項１、２又は３に記載の便座。
【請求項５】
前記懸架装置のハウジング固定端には貫通穴が設けられ、前記上部及び下部の一方には貫通穴が設けられ、前記上部及び下部の他方にはスクリュー穴が設けられ、スクリューが各貫通穴を通過してスクリュー穴に係合し、前記懸架装置のハウジング固定端を前記上部と下部との間に固定する、請求項１、２、３又は４に記載の便座。
【請求項６】
前記懸架装置は、弾力性ストリップであり、この弾力性ストリップの接続部は、複数の曲げ構造部を含む、請求項１から５のいずれかに記載の便座。
【請求項７】
前記本体の内面に複数の固定部が設けられ、各固定部は、スクリュー穴を有し、各弾力性ストリップの本体固定端は、少なくとも１つの貫通穴を有し、そして前記弾力性ストリップの各貫通穴にスクリューを通して前記本体のスクリュー穴にロックさせ、前記ハウジングを前記本体に固定する、請求項６に記載の便座。
【発明の詳細な説明】
【技術分野】
【０００１】
本発明は、マッサージ座席に係り、より詳細には、マッサージ機能を伴うトイレ便座に係る。
【背景技術】
【０００２】
マッサージを行うトイレ便座は長年知られている。このアイデアは、便座全体を振動させるか又は側部から側部へ急速に動かす装置をもたせることにより利用者が便座に座るときにリラックスさせる上で役立つものである。これは、ある利用者をリラックスさせると分かっているが、便座全体を動かすためにマッサージメカニズムに大きなバイブレータが必要となる。又、特に、鍼又は指圧の位置のような幾つかの個別の位置に振動を加えたときには、小さな直接的振動でも、有益なマッサージ又は刺激効果を与えることが分かっている。この個別の刺激を便座において合成できれば、付加的な効果が与えられる。効率を追求する近代社会のトレンドでは、人々は非常に多忙で、単一機能のマッサージ装置を楽しみのためだけに使用するに足る時間的余裕を有していない。
【発明の概要】
【発明が解決しようとする課題】
【０００３】
従って、使用時に人にマッサージを施すことができるか又は少なくとも一般大衆に有用な選択肢を与えるマッサージ機能を伴うトイレ便座のような目新しい日用品を提供することが望まれる。
【課題を解決するための手段】
【０００４】
従って、本発明は、利用者を支持するための本体と、本体に設置された複数のマッサージメカニズムと、マッサージメカニズムをシールするための手段とを備え、マッサージメカニズムは、ハウジングと、ハウジング内に保持されたモータと、モータの出力シャフトに固定された偏心おもりと、これらモータ、偏心おもり及びハウジングの結合体を本体内に懸架すると共に、ハウジングをシール手段に接触するように弾力で押しやるように構成された懸架装置とを備え、該懸架装置は、ハウジングに固定されたハウジング固定端と、本体に固定された本体固定端と、これら固定端の間に接続された接続部と、を含み、これにより、モータがターンオンされたとき、モータが偏心おもりを回転させて、振動を発生し、この振動が、ハウジング及びシール手段を経て、便座に座っている利用者に伝達されるようにしたトイレ便座を提供する。
【０００５】
好ましくは、ハウジングは、上部及び下部より成り、モータは、上部と下部との間にサンドイッチされる。
【０００６】
好ましくは、懸架装置のハウジング固定端には貫通穴が設けられ、上部及び下部の一方には貫通穴が設けられ、上部及び下部の他方にはスクリュー穴が設けられ、スクリューが各貫通穴を通過してスクリュー穴に係合し、懸架装置のハウジング固定端を上部と下部との間に固定する。
【０００７】
好ましくは、本体は、各マッサージメカニズムに対応する貫通穴を有し、シール手段は、本体の貫通穴に固定されてその貫通穴をシールするための複数の防水カバーを含み、この防水カバーは、マッサージメカニズムのハウジングに接触してそのハウジングから利用者へ振動を伝達する。
【０００８】
好ましくは、本体は、各貫通穴の周りに環状グルーブを有し、防水カバーは、エラストマ材料で作られ、各防水カバーの周囲は、フランジを形成し、そしてフランジは、本体の対応環状グルーブにシール係合される。
【０００９】
好ましくは、防水カバーは、フランジに隣接する複数のフックを有し、これらのフックは、本体の対応する貫通穴の周囲を掴むように構成され、防水カバーのフランジが本体の環状グルーブから逃れるのを防止する。
【００１０】
或いは又、本体は、各マッサージメカニズムに対応する減少厚みの部分を有し、これらの部分は、シール手段として作用して、マッサージメカニズムのハウジングと接触し、ハウジングから利用者へ振動を伝達する。
【００１１】
或いは又、各マッサージメカニズムに対応する本体には貫通穴が設けられ、薄い防水層が本体の外面に固定されて貫通穴をシールし、薄い防水層は、シール手段として働き、マッサージメカニズムのハウジングに接触して、ハウジングから利用者へ振動を伝達する。
【００１２】
好ましくは、懸架装置は、弾力性ストリップであり、この弾力性ストリップの接続部分は、複数の曲げ構造部を含む。
【００１３】
好ましくは、本体の内面には複数の固定部が設けられ、各固定部は、スクリュー穴を有し、各弾力性ストリップの本体固定端は、少なくとも１つの貫通穴を有し、そして弾力性ストリップの各貫通穴にスクリューを通して本体のスクリュー穴にロックさせ、ハウジングを本体に固定する。
【００１４】
以下、添付図面を参照して、本発明の好ましい実施形態を一例として説明する。図面において、２つ以上の図に現れる同じ構造、素子又は部分は、一般的に、それらが現れる全ての図において同じ参照番号で示される。図示されたコンポーネント及び特徴部の大きさは、一般に、表現の便宜上及び明瞭化のために選択されたもので、必ずしも正確なスケールで示されていない。
【図面の簡単な説明】
【００１５】
【図１Ａ】本発明の第１の実施形態によるトイレ便座の斜視図である。
【図１Ｂ】図１Ａの便座の一部分の断面図で、便座の本体に設置されるマッサージメカニズムを示す図である。
【図１Ｃ】図１Ｂのマッサージメカニズムの懸架装置を示す斜視図である。
【図１Ｄ】図１Ａの便座の一部分である防水カバーの斜視図である。
【図２】本発明の第２の実施形態により便座の本体に設置されるマッサージメカニズムの断面図である。
【図３】本発明の更に別の実施形態により便座の本体に設置されるマッサージメカニズムの断面図である。
【発明を実施するための形態】
【００１６】
解決されるべき技術的な問題、本発明の技術的な解決策及び有益な効果は、添付図面を参照した好ましい実施形態の以下の詳細な説明から最も良く理解されよう。ここに述べる好ましい実施形態は、本発明を例示するものに過ぎず、本発明を限定するものではないことを理解されたい。
【００１７】
図１Ａから１Ｄは、本発明の第１の好ましい実施形態によるトイレ便座１０を示す。この便座１０は、複数の貫通穴２２が設けられた本体２０を備えている。貫通穴２２の各々にマッサージメカニズム３０が固定される。
【００１８】
このマッサージメカニズム３０は、上部３２ａ及び下部３２ｂを有するハウジングと、上部３２ａ及び下部３２ｂの間にサンドイッチされたモータ３４と、モータ３４の出力シャフトに固定された偏心おもり３６と、弾力性懸架装置３８と、対応する貫通穴２２の周囲に固定されてその貫通穴２２をシールする好ましくは防水のカバー４０と、を備えている。カバー４０は、ハウジングの上部３２ａにより支持されるか、さもなければ、それと接触される。
【００１９】
図１Ｂ及び１Ｃを参照すれば、懸架装置３８は、ハウジングに取り付けられるハウジング固定端３８ａと、本体２０に取り付けられる本体固定端３８ｂと、これら２つの固定端３８ａ、３８ｂを一緒に接続する接続部３８ｃとを有している。ハウジング固定端３８ａは、複数の貫通穴を有し、上部３２ａ及び下部３２ｂの一方にも貫通穴が設けられ、そしてその他方にはスクリュー穴が設けられる。スクリュー（図示せず）が各貫通穴に通されてスクリュー穴にねじ込まれ、懸架装置３８のハウジング固定端３８ａをハウジングの上部３２ａと下部３２ｂとの間に固定する。本体２０の底面には複数の固定部２４が設けられ、各固定部２４は、スクリュー穴を有する。懸架装置３８の本体固定端３８ｂにも貫通穴が設けられ、スクリュー（図示せず）が本体固定端３８ｂの各貫通穴に通されて、本体２０の固定部２４のスクリュー穴に固定される。従って、モータ３４、偏心おもり３６及びハウジングの結合体が懸架装置３８を経て本体２０内に懸架される。本発明のこの実施形態では、懸架装置３８は、２つの弾力性ストリップを備え、各弾力性ストリップの接続部３８ｃには複数の曲げ構造部が設けられている。或いは又、懸架装置３８は、板ばねのような他の形態でもよい。
【００２０】
図１Ｂ及び１Ｄを参照すれば、本体２０の上面には、貫通穴２２の周囲付近に環状グルーブ２６が形成される。カバー４０の周囲にはフランジ４２が設けられる。フランジ４２は、本体２０のグルーブ２６にシール係合される。カバー４０には、フランジ４２の付近に複数のフック４４が形成される。これらフック４２は、本体２０の貫通穴２２の周囲を掴むように構成され、フランジ４２が本体２０のグルーブ２６から逃れるのを防止する。本発明のこの実施形態では、カバー４０は、ゴムのような弾力性材料で作られ、又、フランジ４２は、本体２０のグルーブ２６にシール式に収容され、水のような液体が本体２０の内部の入り込むのを防止する。
【００２１】
使用中に、モータ３４がターンオンされると、モータ３４は、偏心おもり３６を回転してハウジングを振動させる。ハウジングの上部３２ａがカバー４０と接触状態に保たれるので、振動がカバー４０に伝達され、ひいては、カバー４０と接触している便座１０に座る利用者に刺激を与える。マッサージメカニズムの位置は、典型的な利用者の特定の位置、例えば、指圧点に対応するように選択され、これらの領域に直接刺激を与えることができる。
【００２２】
図２は、第１の実施形態の便座と同様の、本発明の第２の実施形態の便座を示す。その相違点は、本体２０が、各マッサージメカニズム３０に対応する減少厚みの部分２２’を一体的に形成することである。部分２２’は、マッサージメカニズム３０の上部３２ａに当接して、モータ３４及びマッサージメカニズム３０の偏心おもり３６により発生された振動を、便座１０に座る利用者に伝達できるようにする。
【００２３】
図３は、第１の実施形態の便座と同様の、本発明の別の実施形態の便座を示す。その相違点は、本体２０の貫通穴２２をシールするために本体２０の外面に薄い防水層４０’が設けられることである。この薄い防水層は、モータ３４からの振動を、便座１０に座る利用者へ伝達するために、マッサージメカニズム３０の上部３２ａと接触する。薄い防水層は、薄いプラスチック又はゴム層でよい。
【００２４】
本発明の上述した実施形態において、利用者が便座を使用するときには、便座のマッサージメカニズムが、利用者の身体の特定の場所又は特定の鍼点をマッサージすることができる。従って、利用者は、生活の日用品を利用するときにマッサージを受けることができる。
【００２５】
本出願の説明及び特許請求の範囲において、動詞「備える(comprise)」、「含む(include)」、「収容する(contain)」及び「有する(have)」、並びにその変化の各々は、ここに述べるアイテムの存在を特定するために包括的な意味で使用されるが、付加的なアイテムの存在を除外するものではない。
【００２６】
１つ以上の好ましい実施形態を参照して本発明を説明したが、当業者であれば、種々の変更が考えられることが明らかであろう。それ故、本発明の範囲は、特許請求の範囲によって決定されるものとする。
【符号の説明】
【００２７】
１０：便座
２０：本体
２２：貫通穴
２２’：減少厚みの部分
２４：固定部
２６：環状グルーブ
３０：マッサージメカニズム
３２ａ：ハウジングの上部
３２ｂ：ハウジングの下部
３４：モータ
３６：偏心おもり
３８：懸架装置
３８ａ：ハウジング固定端
３８ｂ：本体固定端
３８ｃ：接続部
４０：カバー
４０’：防水層
４２：フランジ
４４：フック
【図１Ａ】
0005561955.tif 000002
【図１Ｂ】
0005561955.tif 000003
【図１Ｃ】
0005561955.tif 000004
【図１Ｄ】
0005561955.tif 000005
【図２】
0005561955.tif 000006
【図３】
0005561955.tif 000007